(57)【要約】【課題】柔らかい材質で人にぶつかっても怪我をし難い安全なものとすることができ、さらに、発光する光を柔らかく雰囲気の良い光とすることができる発光装置を提供する。【解決手段】光透過性を有する発泡樹脂からなり、先端部１１１が閉じた筒状部材１１０と、筒状部材の内側壁１１３に沿うように配置した光透過性を有するフィルム１３０と、筒状部材の先端部の内側１１４に配置した反射板１４０と、ＬＥＤランプ１２１，１２２，１２３を筒状部材の内部に挿入して筒状部材の後端部１１２に配置した発光基板１２０と、を備える発光装置１００とした。【選択図】図２
0003179823.tif 000002
【実用新案登録請求の範囲】
【請求項１】
光透過性を有する発泡樹脂からなり、先端部が閉じた筒状部材と、
該筒状部材の内側壁に沿うように配置した光透過性を有するフィルムと、
前記筒状部材の前記先端部の内側に配置した反射板と、
ＬＥＤランプを前記筒状部材の内部に挿入して該筒状部材の後端部に配置した発光基板と、
を備えることを特徴とする発光装置。
【請求項２】
光透過性を有する発泡樹脂からなり、先端部が閉じた筒状部材と、
ＬＥＤランプを前記筒状部材の内部に挿入して該筒状部材の後端部に配置した発光基板と、
該発光基板における前記筒状部材の内側に配置し、前記ＬＥＤランプの光を前記先端部側に向けて反射させる反射板と、
を備えることを特徴とする発光装置。
【請求項３】
前記筒状部材の外側壁に、複数の孔又は凹みが形成されていることを特徴とする請求項１又は２に記載の発光装置。
【請求項４】
前記発光基板に係止部が形成されており、
前記筒状部材の前記後端部側の前記内側壁に、前記係止部を係止させる被係止部が形成されており、
前記発光基板が、前記筒状部材の前記後端部から押し込まれて、前記係止部を前記被係止部に係止させることで、固定されていることを特徴とする請求項１乃至３の何れか１つに記載の発光装置。
【考案の詳細な説明】
【技術分野】
【０００１】
本考案は、発光装置に関し、特に、コンサート等に使用されるスティックライト等の発光装置に関するものである。
【背景技術】
【０００２】
従来、例えばコンサート等で観客が持ち、発光させた状態で振って使用する、所謂スティックライトと呼ばれる棒状の発光装置がある。このような発光装置としては、スティックの中で２つの液体を混合させることで化学発光させて使用するケミカルライトと呼ばれるものがあった。
【０００３】
しかし、このケミカルライトは、数時間発光後に消光した後は再使用することができず、使い捨てとなるため、繰り返し使用できるスティックライトとして、ＬＥＤランプを使用したものが提案されている（例えば、特許文献１参照）。
【先行技術文献】
【特許文献】
【０００４】
【特許文献１】実登３１７５０３９号公報
【考案の概要】
【考案が解決しようとする課題】
【０００５】
ここで、前記した特許文献１のようなＬＥＤランプを使用したスティックライトは、その筐体が硬質樹脂で構成されており、このような硬いものをコンサート等の人の多い場所で持って振ると、近くの人にスティックライトがぶつかって怪我をさせてしまう可能性があり、安全上の問題が生じていた。
【０００６】
また、硬質樹脂の筐体を有するＬＥＤスティックライトは、比較的はっきりとした色調の光で発光するが、もっと柔らかい光で発光する方が、雰囲気が良いとの意見があった。
【０００７】
本考案は、このような事情に鑑みてなされたものであり、柔らかい材質で人にぶつかっても怪我をし難い安全なものとすることができ、さらに、発光する光を柔らかく雰囲気の良い光とすることができる発光装置を提供することを目的とする。
【課題を解決するための手段】
【０００８】
かかる課題を解決するために、本考案の請求項１に記載の考案は、光透過性を有する発泡樹脂からなり、先端部が閉じた筒状部材と、該筒状部材の内側壁に沿うように配置した光透過性を有するフィルムと、前記筒状部材の前記先端部の内側に配置した反射板と、ＬＥＤランプを前記筒状部材の内部に挿入して該筒状部材の後端部に配置した発光基板と、を備える発光装置としたことを特徴とする。
【０００９】
また、本考案の請求項２に記載の考案は、光透過性を有する発泡樹脂からなり、先端部が閉じた筒状部材と、ＬＥＤランプを前記筒状部材の内部に挿入して該筒状部材の後端部に配置した発光基板と、該発光基板における前記筒状部材の内側に配置し、前記ＬＥＤランプの光を前記先端部側に向けて反射させる反射板と、を備える発光装置としたことを特徴とする。
【００１０】
また、本考案の請求項３に記載の考案は、請求項１又は２に記載の発光装置において、前記筒状部材の外側壁に、複数の孔又は凹みが形成されていることを特徴とする。
【００１１】
また、本考案の請求項４に記載の考案は、請求項１乃至３の何れか１つに記載の発光装置において、前記発光基板に係止部が形成されており、前記筒状部材の前記後端部側の前記内側壁に、前記係止部を係止させる被係止部が形成されており、前記発光基板が、前記筒状部材の前記後端部から押し込まれて、前記係止部を前記被係止部に係止させることで、固定されていることを特徴とする。
【考案の効果】
【００１２】
本考案の請求項１に記載の考案によれば、光透過性を有する発泡樹脂からなる筒状部材と、その内側壁に沿うように配置した光透過性を有するフィルムと、筒状部材の先端部の内側に配置した反射板と、ＬＥＤランプを筒状部材の内部に挿入して筒状部材の後端部に配置した発光基板とを備えるため、筒状部材が柔らかい材質で人にぶつかっても怪我をし難い安全なものとすることができ、かつ、柔らかく雰囲気の良い光を発光する発光装置とすることができる。また、フィルムや反射板により、ＬＥＤランプの光を筒状部材の全体に行き渡らせることができ、ＬＥＤランプによる発光ムラの少ない発光装置を、比較的低いコストで実現することができる。
【００１３】
また、本考案の請求項２に記載の考案によれば、光透過性を有する発泡樹脂からなる筒状部材と、ＬＥＤランプを筒状部材の内部に挿入して筒状部材の後端部に配置した発光基板と、発光基板における筒状部材の内側に配置し、ＬＥＤランプの光を先端部側に向けて反射させる反射板とを備えるため、筒状部材が柔らかい材質で人にぶつかっても怪我をし難い安全なものとすることができ、かつ、柔らかく雰囲気の良い光を発光する発光装置とすることができる。また、ＬＥＤランプを有する発光基板に反射板を有することで、フィルムや他の反射板等がなくても、ＬＥＤランプの光を筒状部材の全体に行き渡らせることができ、ＬＥＤランプによる発光ムラの少ない発光装置を、より低いコストで実現することができる。
【００１４】
また、本考案の請求項３に記載の考案によれば、請求項１又は２に記載の考案における効果に加え、筒状部材の外側壁に、複数の孔又は凹みが形成されているため、筒状部材の内部から透過してきた光が、一定でない複雑な発光の仕方をする光となり、より面白みのある光を発光する発光装置とすることができる。
【００１５】
また、本考案の請求項４に記載の考案によれば、請求項１乃至３の何れか１つに記載の考案における効果に加え、発光基板に係止部が形成されると共に、筒状部材の後端部側の内側壁に、係止部を係止させる被係止部が形成されており、発光基板が、筒状部材の後端部から押し込まれて係止部を被係止部に係止させることで固定されているため、発光基板を筒状部材の後端部に貼り付けているだけのものよりも、発光装置から発光基板を外れ難くすることができる。その結果、コンサート中などに発光装置を強く振り過ぎて、発光基板が筒状部材から外れて飛んでしまい、その発光基板が人にぶつかって怪我をさせてしまう、というような不具合を生じさせないようにすることができ、比較的簡単な構成で、より安全性の高い発光装置とすることができる。
【図面の簡単な説明】
【００１６】
【図１】本考案の第１の実施の形態に係る発光装置を示す斜視図である。
【図２】図１のＡ−Ａ断面図である。
【図３】図１のＢ−Ｂ断面図である。
【図４】本考案の第２の実施の形態に係る発光装置を示す断面図である。
【図５】本考案の第３の実施の形態に係る発光装置を示す断面図である。
【図６】本考案の第４の実施の形態に係る発光装置を示す断面図である。
【考案を実施するための形態】
【００１７】
以下、本考案の実施の形態について、図面を参照して詳細に説明する。
［第１の実施の形態］
【００１８】
まず、本考案の第１の実施の形態における発光装置について、図１〜図３を用いて説明する。図１は、本考案の第１の実施の形態に係る発光装置を示す斜視図であり、図２は、図１のＡ−Ａ断面図であり、図３は、図１のＢ−Ｂ断面図である。
【００１９】
本実施の形態の発光装置１００は、筒状部材の内部に配置されたＬＥＤランプが発光し、その光が筒状部材を介して外側に透過することで、筒状部材の略全体が発光しているように見えるスティック状の発光装置であり、筒状部材１１０、発光基板１２０、フィルム１３０、反射板１４０等で構成されている。
【００２０】
このうち、筒状部材１１０は、発泡ウレタン等の柔らかい光透過性を有する発泡樹脂からなり、図１に示すように、長手方向に沿って中央部分に孔が開いた略円筒形状の部材である。この筒状部材１１０の長手方向の一端である先端部１１１は、筒の孔が閉じられており、本実施の形態では、筒状部材１１０とは別部材で同じ材質からなる蓋部材１１６が嵌め込まれて接着されることによって閉じられている。また、筒状部材１１０の長手方向の他端である後端部１１２は、筒の孔が開けられた状態となっており、ここに後述する発光基板１２０を嵌め込んで接着するようになっている。
【００２１】
発光基板１２０は、ＬＥＤランプと回路基板、電池を搭載した発光制御基板であり、本実施の形態では、図２及び図３に示すように、３色のＬＥＤランプ１２１，１２２，１２３がそれぞれ１つずつ設けられている。なお、本実施の形態のＬＥＤランプ１２１，１２２，１２３は、少しでも先端側で発光させるべく、基板から延びる端子を長めに設けている。また、発光基板１２０は、ＬＥＤランプ１２１，１２２，１２３を先にして筒状部材１１０の内部に挿入するようになっており、ＬＥＤランプ１２１，１２２，１２３とは逆側には、係止部１２５が設けられている。この係止部１２５は、他の部位より筒状部材１１０の長手方向と直交する方向に拡がったフランジ状に形成されており、筒状部材１１０の孔より大きくなるように構成されている。そして、ＬＥＤランプ１２１，１２２，１２３を先にして発光基板１２０を筒状部材１１０の孔に挿入し、係止部１２５が筒状部材１１０の後端部１１２に当接するまで押し込み、接着することで発光基板１２０を筒状部材１１０に取り付けるようになっている。
【００２２】
また、発光基板１２０における係止部１２５が形成された面には、スイッチ１２４が配置されている。このスイッチ１２４は、電源スイッチと発光状態の切替スイッチを兼ねた構成となっており、１回スイッチ１２４を押すと電源オンになると共に所定の発光モード１でＬＥＤランプ１２１，１２２，１２３が点灯するようになっており、その後、スイッチ１２４を押す毎に発光状態が発光モード２〜６の順で切り替えられ、発光モード６の次は電源オフとなるように構成されている。なお、発光モードとは、３色のＬＥＤランプ１２１，１２２，１２３の点灯の仕方を変化させたものであり、それぞれのＬＥＤランプ１２１，１２２，１２３の点灯時間及び点滅間隔、フェードイン・フェードアウトの時間、色の組み合わせ等が予め回路基板にプログラムされて、異なる発光モードを構成するようになっている。この発光モードは６種類に限るものではなく、さらに他種類に及んでいても良い。
【００２３】
フィルム１３０は、ＬＥＤランプ１２１，１２２，１２３からの光を反射及び透過させて光を拡散させるものであり、光透過性を有する無色透明又は有色透明のポリプロピレンフィルム、セロファン等の樹脂からなり、図２及び図３に示すように、筒状部材１１０の孔の内側壁１１３に沿うように略円筒形状に巻いて配置されている。本実施の形態では、ベルベ社製のレインボーフィルムペーパー（カラー：レインボー、型番：０８１７２）からなるポリプロピレンフィルムを用いており、このレインボーカラーのフィルム１３０によって、ＬＥＤランプ１２１，１２２，１２３の光がより乱反射して拡散し易くなっている。
【００２４】
反射板１４０は、図２及び図３に示すように、筒状部材１１０の先端部１１１の内側１１４、本実施の形態では先端部１１１に設けられた蓋部材１１６における内側部分（孔の内部側）に貼り付けられた平板状部材であって、銀色の光沢を有しており、ＬＥＤランプ１２１，１２２，１２３の光を反射させて、光を拡散させ易くしている。
【００２５】
そして、このような構成の発光装置１００において、スイッチ１２４を操作してＬＥＤランプ１２１，１２２，１２３を点灯させ、その光がフィルム１３０及び反射板１４０で反射すると共に、フィルム１３０及び筒状部材１１０を介して外側に透過することで、発光装置１００全体が発光するようになっている。
［第２の実施の形態］
【００２６】
次に、本考案の第２の実施の形態における発光装置について、図４を用いて説明する。図４は、本考案の第２の実施の形態に係る発光装置を示す断面図である。
【００２７】
なお、本実施の形態の発光装置は、以下に記載する構成以外は、前記した第１の実施の形態と同様であるので、同様の構成に同じ符号を付して、説明を省略する。
【００２８】
本実施の形態の発光装置２００では、図４に示すように、発光基板１２０における筒状部材１１０の内側でＬＥＤランプ１２１，１２２，１２３の点灯部分からみて後端部１１２側から先端部１１１側に掛かる位置に、先端部１１１側に向けたテーパ形状又は先端部１１１側を開放側とする湾曲形状で銀色の光沢を有する反射板２４０を配置している。逆に、本実施の形態では、第１の実施の形態の反射板１４０が配置されておらず、フィルム１３０も設けられていない。
【００２９】
このように、本実施の形態では、第１の実施の形態のフィルム１３０及び反射板１４０が設けられていないが、ＬＥＤランプ１２１，１２２，１２３の近くにテーパ形状や湾曲形状等の光を反射させ易い形状の反射板２４０を有していることで、ＬＥＤランプ１２１，１２２，１２３の光を遠くまで届かせることができ、これにより発光装置２００全体を発光させることができるようになっている。
【００３０】
なお、第１の実施の形態の発光装置１００に、本実施の形態の反射板２４０を配置することで、発光装置１００全体をより明るく発光させることができる。また、本実施の形態の発光装置２００に、第１の実施の形態のフィルム１３０や反射板１４０を配置すれば、発光装置２００全体をさらに明るく発光させることができる。
［第３の実施の形態］
【００３１】
次に、本考案の第３の実施の形態における発光装置について、図５を用いて説明する。図４は、本考案の第３の実施の形態に係る発光装置を示す断面図である。
【００３２】
なお、本実施の形態の発光装置は、以下に記載する構成以外は、前記した第１の実施の形態と同様であるので、同様の構成に同じ符号を付して、説明を省略する。
【００３３】
本実施の形態の発光装置３００では、図５に示すように、筒状部材１１０の外側壁１１５に、孔３５０又は凹みが形成されている。この孔３５０や凹みは、筒状部材１１０の外側壁１１５から内側壁１１３まで貫通するものであっても良いし、外側壁１１５から内側壁１１３側の途中まで開いている状態のものであっても良い。また、貫通する孔３５０や凹み、貫通しない孔３５０や凹みが混在していても良い。その他の構成は、第１の実施の形態と同様である。
【００３４】
このように、本実施の形態では、筒状部材１１０に孔３５０又は凹みが形成されていることで、筒状部材１１０の内部から発光するＬＥＤランプ１２１，１２２，１２３の光が、形成された孔３５０又は凹みを通して、一定でない複雑な発光の仕方をする光となり、より面白みのある光を出すことができる。
【００３５】
なお、本実施の形態では、第１の実施の形態の発光装置１００をベースに孔３５０又は凹みを設けたが、第２の実施の形態の発光装置２００をベースに孔３５０又は凹みを設けるようになっていても良いし、第１の実施の形態と第２の実施の形態を組み合わせた発光装置に孔３５０又は凹みを設けるようになっていても良い。
［第４の実施の形態］
【００３６】
次に、本考案の第４の実施の形態における発光装置について、図４を用いて説明する。図６は、本考案の第４の実施の形態に係る発光装置を示す断面図である。
【００３７】
なお、本実施の形態の発光装置は、以下に記載する構成以外は、前記した第１の実施の形態と同様であるので、同様の構成に同じ符号を付して、説明を省略する。
【００３８】
本実施の形態の発光装置４００では、図６に示すように、筒状部材１１０の後端部１１２側の所定位置の内側壁１１３に、発光基板１２０の係止部１２５を係止させる被係止部が形成されており、ここでは、被係止部として、内側壁１１３を一周する切込み４１５が形成されている。この切込み４１５は、発光基板１２０のフランジ状の係止部１２５が丁度嵌合する大きさ及び形状となっている。そして、発光基板１２０を、筒状部材１１０の後端部１１３から、筒状部材１１０の内側壁１１３を多少押し広げながら押し込んでいき、切込み４１５に係止部１２５を嵌合させて係止することで、発光基板１２０を筒状部材１１０に固定させることができるようになっている。その他の構成は、第１の実施の形態と同様である。
【００３９】
このように、発光基板１２０の係止部１２５を被係止部である切込み４１５に嵌合させて係止することで、本実施の形態では、発光基板１２０を筒状部材１１０の後端部１１２に貼り付けているだけのものよりも、発光装置１００から発光基板１２０を外れ難くすることができる。なお、本実施の形態においては、筒状部材１１０の孔の大きさ及び形状と、発光基板１２０の係止部１２５の大きさ及び形状を厳密に精査し、係止部１２５を筒状部材１１０が破損しない程度に押し広げることが可能な構成とする必要がある。
【００４０】
また、本実施の形態では、第１の実施の形態の発光装置１００をベースに切込み４１５を設けたが、第２の実施の形態の発光装置２００をベースに切込み４１５を設けるようになっていても良いし、第３の実施の形態の発光装置３００をベースに切込み４１５を設けるようになっていても良い。さらに、第１の実施の形態と第２の実施の形態を組み合わせた発光装置、第１の実施の形態と第３の実施の形態を組み合わせた発光装置、第２の実施の形態と第３の実施の形態を組み合わせた発光装置、第１〜第３の実施の形態を組み合わせた発光装置の何れかに切込み４１５を設けるようになっていても良い。
【００４１】
以上のように、第１の実施の形態の発光装置１００は、光透過性を有する発泡樹脂からなり、先端部１１１が閉じた筒状部材１１０と、該筒状部材１１０の内側壁１１３に沿うように配置した光透過性を有するフィルム１３０と、前記筒状部材１１０の前記先端部１１１の内側１１４に配置した反射板１４０と、ＬＥＤランプ１２１，１２２，１２３を前記筒状部材１１０の内部に挿入して該筒状部材１１０の後端部１１２に配置した発光基板１２０と、を備える発光装置１００としたことを特徴とする。
【００４２】
そして、第１の実施の形態の発光装置１００によれば、光透過性を有する発泡樹脂からなる筒状部材１１０と、その内側壁１１３に沿うように配置した光透過性を有するフィルム１３０と、筒状部材１１０の先端部１１１の内側１１４に配置した反射板１４０と、ＬＥＤランプ１２１，１２２，１２３を筒状部材１１０の内部に挿入して筒状部材１１０の後端部１１２に配置した発光基板１２０とを備えるため、筒状部材１１０が柔らかい材質で人にぶつかっても怪我をし難い安全なものとすることができ、かつ、柔らかく雰囲気の良い光を発光する発光装置１００とすることができる。また、フィルム１３０や反射板１４０により、ＬＥＤランプ１２１，１２２，１２３の光を筒状部材１１０の全体に行き渡らせることができ、ＬＥＤランプ１２１，１２２，１２３による発光ムラの少ない発光装置１００を、比較的低いコストで実現することができる。
【００４３】
また、第２の実施の形態の発光装置２００は、光透過性を有する発泡樹脂からなり、先端部１１１が閉じた筒状部材１１０と、ＬＥＤランプ１２１，１２２，１２３を前記筒状部材１１０の内部に挿入して該筒状部材１１０の後端部１１２に配置した発光基板１２０と、該発光基板１２０における前記筒状部材１１０の内側に配置し、前記ＬＥＤランプ１２１，１２２，１２３の光を前記先端部１１１側に向けて反射させる反射板２４０と、を備える発光装置２００としたことを特徴とする。
【００４４】
そして、第２の実施の形態の発光装置２００によれば、光透過性を有する発泡樹脂からなる筒状部材１１０と、ＬＥＤランプ１２１，１２２，１２３を筒状部材１１０の内部に挿入して筒状部材１１０の後端部１１２に配置した発光基板１２０と、発光基板１２０における筒状部材１１０の内側に配置し、ＬＥＤランプ１２１，１２２，１２３の光を先端部１１１側に向けて反射させる反射板２４０とを備えるため、筒状部材１１０が柔らかい材質で人にぶつかっても怪我をし難い安全なものとすることができ、かつ、柔らかく雰囲気の良い光を発光する発光装置２００とすることができる。また、ＬＥＤランプ１２１，１２２，１２３を有する発光基板１２０に反射板２４０を有することで、フィルム１３０や他の反射板１４０等がなくても、ＬＥＤランプ１２１，１２２，１２３の光を筒状部材１１０の全体に行き渡らせることができ、ＬＥＤランプ１２１，１２２，１２３による発光ムラの少ない発光装置２００を、より低いコストで実現することができる。
【００４５】
また、第３の実施の形態の発光装置３００は、前記した第１，第２の実施の形態に加えて、前記筒状部材１１０の外側壁１１５に、複数の孔３５０又は凹みが形成されている発光装置３００としたことを特徴とする。
【００４６】
そして、第３の実施の形態の発光装置３００によれば、第１，第２の実施の形態の効果に加え、筒状部材１１０の外側壁１１５に、複数の孔３５０又は凹みが形成されているため、筒状部材１１０の内部から透過してきた光が、一定でない複雑な発光の仕方をする光となり、より面白みのある光を発光する発光装置３００とすることができる。
【００４７】
また、第４の実施の形態の発光装置４００は、前記した第１〜第３の実施の形態に加えて、前記発光基板１２０に係止部１２５が形成されており、前記筒状部材１１０の前記後端部１１２側の前記内側壁１１３に、該内側壁１１３を一周する切込み４１５（前記係止部１２５を係止させる被係止部）が形成されており、前記発光基板１２０が、前記筒状部材１１０の前記後端部１１２から押し込まれて、前記係止部１２５を前記切込み４１５（被係止部）に嵌合（係止）させることで、固定されている発光装置４００としたことを特徴とする。
【００４８】
そして、第４の実施の形態の発光装置４００によれば、第１〜第３の実施の形態の効果に加え、発光基板１２０に係止部１２５が形成されると共に、筒状部材１１０の後端部１１２側の内側壁１１３に、その内側壁１１３を一周する切込み４１５（係止部１２５を係止させる被係止部）が形成されており、発光基板１２０が、筒状部材１１０の後端部１１２から押し込まれて係止部１２５を切込み４１５（被係止部）に嵌合（係止）させることで固定されているため、発光基板１２０を筒状部材１１０の後端部１１２に貼り付けているだけのものよりも、発光装置４００から発光基板１２０を外れ難くすることができる。その結果、コンサート中などに発光装置４００を強く振り過ぎて、発光基板１２０が筒状部材１１０から外れて飛んでしまい、その発光基板１２０が人にぶつかって怪我をさせてしまう、というような不具合を生じさせないようにすることができ、比較的簡単な構成で、より安全性の高い発光装置４００とすることができる。
【００４９】
なお、以上説明した各実施の形態は、本考案の理解を容易にするために記載されたものであって、本考案を限定するために記載されたものではない。
【００５０】
例えば、前記した各実施の形態の筒状部材１１０は、略円筒形状の部材であったが、これに限るものではなく、角筒状などの略円筒形状以外の筒状に形成されていても良い。
【００５１】
また、前記した各実施の形態の筒状部材１１０の先端部１１１は、別部材からなる蓋部材１１６で閉じられる構成となっていたが、これに限るものではなく、筒状部材１１０と蓋部材１１６が一体に形成されていても良い。ただし、別部材からなる蓋部材１１６で閉じる方が加工が容易であり、製造工程の簡略化に繋がるものである。
【００５２】
また、前記した第４の実施の形態では、発光基板１２０の係止部と筒状部材１１０の被係止部として、フランジ状の係止部１２５と切込み４１５が形成されていたが、これに限るものではなく、発光基板１２０を筒状部材１１０の後端部１１２から所定量先端部１１１側に係止できるものであれば、複数の突起（係止部）とそれに合わせた複数の凹み（被係止部）など、他の構成であっても良い。
【符号の説明】
【００５３】
１００，２００，３００，４００  発光装置
１１０  筒状部材
１１１  先端部
１１２  後端部
１１３  内側壁
１１４  先端部の内側
１１５  外側壁
１１６  蓋部材
１２０  発光基板
１２１，１２２，１２３  ＬＥＤランプ
１２４  スイッチ
１２５  係止部
１３０  フィルム
１４０，２４０  反射板
３５０  孔
４１５  切込み（被係止部）
【図１】
0003179823.tif 000003
【図２】
0003179823.tif 000004
【図３】
0003179823.tif 000005
【図４】
0003179823.tif 000006
【図５】
0003179823.tif 000007
【図６】
0003179823.tif 000008
【手続補正書】
【提出日】平成24年9月19日(2012.9.19)
【手続補正１】
【補正対象書類名】実用新案登録請求の範囲
【補正対象項目名】全文
【補正方法】変更
【補正の内容】
【実用新案登録請求の範囲】
【請求項１】
光透過性を有する発泡樹脂からなり、先端部が閉じた筒状部材と、  該筒状部材の内面に沿うように配置した光透過性を有するフィルムと、  前記筒状部材の前記先端部の内側に配置した反射板と、  ＬＥＤランプを前記筒状部材の内部に挿入して該筒状部材の後端部に配置した発光基板と、を備えることを特徴とする発光装置。
【請求項２】
光透過性を有する発泡樹脂からなり、先端部が閉じた筒状部材と、  ＬＥＤランプを前記筒状部材の内部に挿入して該筒状部材の後端部に配置した発光基板と、 前記筒状部材の内側で、前記発光基板近傍に配置し、前記ＬＥＤランプの光を前記先端部側に向けて反射させる反射板と、を備えることを特徴とする発光装置。
【請求項３】
前記筒状部材の外側壁に、複数の孔又は凹みが形成されていることを特徴とする請求項１又は２に記載の発光装置。
【請求項４】
前記発光基板に係止部が形成されており、  前記筒状部材の前記後端部側の内側壁に、前記係止部を係止させる被係止部が形成されており、  前記発光基板が、前記筒状部材の前記後端部から押し込まれて、前記係止部を前記被係止部に係止させることで、固定されていることを特徴とする請求項１乃至３の何れか１つに記載の発光装置。
【手続補正２】
【補正対象書類名】明細書
【補正対象項目名】０００８
【補正方法】変更
【補正の内容】
【０００８】  かかる課題を解決するために、本考案の請求項１に記載の考案は、光透過性を有する発泡樹脂からなり、先端部が閉じた筒状部材と、該筒状部材の内面に沿うように配置した光透過性を有するフィルムと、前記筒状部材の前記先端部の内側に配置した反射板と、ＬＥＤランプを前記筒状部材の内部に挿入して該筒状部材の後端部に配置した発光基板と、を備える発光装置としたことを特徴とする。
【手続補正３】
【補正対象書類名】明細書
【補正対象項目名】０００９
【補正方法】変更
【補正の内容】
【０００９】  また、本考案の請求項２に記載の考案は、光透過性を有する発泡樹脂からなり、先端部が閉じた筒状部材と、ＬＥＤランプを前記筒状部材の内部に挿入して該筒状部材の後端部に配置した発光基板と、前記筒状部材の内側で、前記発光基板近傍に配置し、前記ＬＥＤランプの光を前記先端部側に向けて反射させる反射板と、を備える発光装置としたことを特徴とする。
【手続補正４】
【補正対象書類名】明細書
【補正対象項目名】００１１
【補正方法】変更
【補正の内容】
【００１１】  また、本考案の請求項４に記載の考案は、請求項１乃至３の何れか１つに記載の発光装置において、前記発光基板に係止部が形成されており、前記筒状部材の前記後端部側の内側壁に、前記係止部を係止させる被係止部が形成されており、前記発光基板が、前記筒状部材の前記後端部から押し込まれて、前記係止部を前記被係止部に係止させることで、固定されていることを特徴とする。
【手続補正５】
【補正対象書類名】明細書
【補正対象項目名】００１２
【補正方法】変更
【補正の内容】
【００１２】  本考案の請求項１に記載の考案によれば、光透過性を有する発泡樹脂からなる筒状部材と、その内面に沿うように配置した光透過性を有するフィルムと、筒状部材の先端部の内側に配置した反射板と、ＬＥＤランプを筒状部材の内部に挿入して筒状部材の後端部に配置した発光基板とを備えるため、筒状部材が柔らかい材質で人にぶつかっても怪我をし難い安全なものとすることができ、かつ、柔らかく雰囲気の良い光を発光する発光装置とすることができる。また、フィルムや反射板により、ＬＥＤランプの光を筒状部材の全体に行き渡らせることができ、ＬＥＤランプによる発光ムラの少ない発光装置を、比較的低いコストで実現することができる。
【手続補正６】
【補正対象書類名】明細書
【補正対象項目名】００１３
【補正方法】変更
【補正の内容】
【００１３】  また、本考案の請求項２に記載の考案によれば、光透過性を有する発泡樹脂からなる筒状部材と、ＬＥＤランプを筒状部材の内部に挿入して筒状部材の後端部に配置した発光基板と、筒状部材の内側で、発光基板近傍に配置し、ＬＥＤランプの光を先端部側に向けて反射させる反射板とを備えるため、筒状部材が柔らかい材質で人にぶつかっても怪我をし難い安全なものとすることができ、かつ、柔らかく雰囲気の良い光を発光する発光装置とすることができる。また、ＬＥＤランプを有する発光基板に反射板を有することで、フィルムや他の反射板等がなくても、ＬＥＤランプの光を筒状部材の全体に行き渡らせることができ、ＬＥＤランプによる発光ムラの少ない発光装置を、より低いコストで実現することができる。
【手続補正７】
【補正対象書類名】明細書
【補正対象項目名】００２８
【補正方法】変更
【補正の内容】
【００２８】  本実施の形態の発光装置２００では、図４に示すように、筒状部材１１０の内側における発光基板１２０近傍であってＬＥＤランプ１２１，１２２，１２３の点灯部分からみて後端部１１２側から先端部１１１側に掛かる位置に、先端部１１１側に向けたテーパ形状又は先端部１１１側を開放側とする湾曲形状で銀色の光沢を有する反射板２４０を配置している。逆に、本実施の形態では、第１の実施の形態の反射板１４０が配置されておらず、フィルム１３０も設けられていない。
【手続補正８】
【補正対象書類名】明細書
【補正対象項目名】００３１
【補正方法】変更
【補正の内容】
【００３１】  次に、本考案の第３の実施の形態における発光装置について、図５を用いて説明する。図５は、本考案の第３の実施の形態に係る発光装置を示す断面図である。
【手続補正９】
【補正対象書類名】明細書
【補正対象項目名】００３６
【補正方法】変更
【補正の内容】
【００３６】  次に、本考案の第４の実施の形態における発光装置について、図６を用いて説明する。図６は、本考案の第４の実施の形態に係る発光装置を示す断面図である。
【手続補正１０】
【補正対象書類名】明細書
【補正対象項目名】００４１
【補正方法】変更
【補正の内容】
【００４１】  以上のように、第１の実施の形態の発光装置１００は、光透過性を有する発泡樹脂からなり、先端部１１１が閉じた筒状部材１１０と、該筒状部材１１０の内側壁１１３（内面）に沿うように配置した光透過性を有するフィルム１３０と、前記筒状部材１１０の前記先端部１１１の内側１１４に配置した反射板１４０と、ＬＥＤランプ１２１，１２２，１２３を前記筒状部材１１０の内部に挿入して該筒状部材１１０の後端部１１２に配置した発光基板１２０と、を備える発光装置１００としたことを特徴とする。
【手続補正１１】
【補正対象書類名】明細書
【補正対象項目名】００４２
【補正方法】変更
【補正の内容】
【００４２】  そして、第１の実施の形態の発光装置１００によれば、光透過性を有する発泡樹脂からなる筒状部材１１０と、その内側壁１１３（内面）に沿うように配置した光透過性を有するフィルム１３０と、筒状部材１１０の先端部１１１の内側１１４に配置した反射板１４０と、ＬＥＤランプ１２１，１２２，１２３を筒状部材１１０の内部に挿入して筒状部材１１０の後端部１１２に配置した発光基板１２０とを備えるため、筒状部材１１０が柔らかい材質で人にぶつかっても怪我をし難い安全なものとすることができ、かつ、柔らかく雰囲気の良い光を発光する発光装置１００とすることができる。また、フィルム１３０や反射板１４０により、ＬＥＤランプ１２１，１２２，１２３の光を筒状部材１１０の全体に行き渡らせることができ、ＬＥＤランプ１２１，１２２，１２３による発光ムラの少ない発光装置１００を、比較的低いコストで実現することができる。
【手続補正１２】
【補正対象書類名】明細書
【補正対象項目名】００４３
【補正方法】変更
【補正の内容】
【００４３】  また、第２の実施の形態の発光装置２００は、光透過性を有する発泡樹脂からなり、先端部１１１が閉じた筒状部材１１０と、ＬＥＤランプ１２１，１２２，１２３を前記筒状部材１１０の内部に挿入して該筒状部材１１０の後端部１１２に配置した発光基板１２０と、前記筒状部材１１０の内側で、前記発光基板１２０近傍に配置し、前記ＬＥＤランプ１２１，１２２，１２３の光を前記先端部１１１側に向けて反射させる反射板２４０と、を備える発光装置２００としたことを特徴とする。
【手続補正１３】
【補正対象書類名】明細書
【補正対象項目名】００４４
【補正方法】変更
【補正の内容】
【００４４】  そして、第２の実施の形態の発光装置２００によれば、光透過性を有する発泡樹脂からなる筒状部材１１０と、ＬＥＤランプ１２１，１２２，１２３を筒状部材１１０の内部に挿入して筒状部材１１０の後端部１１２に配置した発光基板１２０と、筒状部材１１０の内側で、発光基板１２０近傍に配置し、ＬＥＤランプ１２１，１２２，１２３の光を先端部１１１側に向けて反射させる反射板２４０とを備えるため、筒状部材１１０が柔らかい材質で人にぶつかっても怪我をし難い安全なものとすることができ、かつ、柔らかく雰囲気の良い光を発光する発光装置２００とすることができる。また、ＬＥＤランプ１２１，１２２，１２３を有する発光基板１２０に反射板２４０を有することで、フィルム１３０や他の反射板１４０等がなくても、ＬＥＤランプ１２１，１２２，１２３の光を筒状部材１１０の全体に行き渡らせることができ、ＬＥＤランプ１２１，１２２，１２３による発光ムラの少ない発光装置２００を、より低いコストで実現することができる。
【手続補正１４】
【補正対象書類名】明細書
【補正対象項目名】００４７
【補正方法】変更
【補正の内容】
【００４７】  また、第４の実施の形態の発光装置４００は、前記した第１〜第３の実施の形態に加えて、前記発光基板１２０に係止部１２５が形成されており、前記筒状部材１１０の前記後端部１１２側の内側壁１１３に、該内側壁１１３を一周する切込み４１５（前記係止部１２５を係止させる被係止部）が形成されており、前記発光基板１２０が、前記筒状部材１１０の前記後端部１１２から押し込まれて、前記係止部１２５を前記切込み４１５（被係止部）に嵌合（係止）させることで、固定されている発光装置４００としたことを特徴とする。